(57)【要約】【課題】撹拌中に誤って蓋体を開けることのない炊飯器を提供する。【解決手段】開放規制制御部６１は、撹拌ユニットの回転中、蓋体の開放を規制するように開放規制部９を制御する。これによって、撹拌ユニットの回転中、蓋体を開けることができない。したがって、撹拌ユニットが内鍋内の内容物を撹拌している最中に、ユーザが誤って蓋体を開けようとしても、蓋体は開かず、内容物が内鍋から外側に飛び散ることがない。【選択図】図５
2015091278.tif 000002
【特許請求の範囲】
【請求項１】
炊飯器本体と、
この炊飯器本体に収容される内鍋と、
上記炊飯器本体の上部に取り付けられて上記内鍋を開閉する蓋体と、
上記蓋体に回転可能に取り付けられると共に、回転して上記内鍋内に収容される内容物を撹拌する撹拌ユニットと、
上記蓋体に取り付けられると共に、上記撹拌ユニットを駆動するモータと、
上記蓋体の開放を規制する開放規制部と、
上記撹拌ユニットの回転中、上記蓋体の開放を規制するように上記開放規制部を制御する開放規制制御部と
を備えることを特徴とする炊飯器。
【請求項２】
請求項１に記載の炊飯器において、
上記モータの通電を検知するモータ通電検知部を有し、
上記開放規制制御部は、上記モータ通電検知部が上記モータの通電を検知しているとき、上記蓋体の開放を規制するように上記開放規制部を制御することを特徴とする炊飯器。
【請求項３】
請求項１または２に記載の炊飯器において、
上記撹拌ユニットの回転を検知する撹拌ユニット回転検知部を有し、
上記開放規制制御部は、上記撹拌ユニット回転検知部が上記撹拌ユニットの回転を検知しているとき、上記蓋体の開放を規制するように上記開放規制部を制御することを特徴とする炊飯器。
【請求項４】
請求項１から３の何れか一つに記載の炊飯器において、
上記撹拌ユニットは、
上記蓋体に回転可能に取り付けられた回転体と、
上記回転体に取り付けられると共に、上記内鍋内の内容物に接触した攪拌状態と、上記内鍋内の内容物から乖離した非攪拌状態とを切替可能な攪拌体と
を有し、
上記攪拌体の上記非攪拌状態を検知する非撹拌状態検知部を有し、
上記開放規制制御部は、上記非撹拌状態検知部が上記撹拌体の上記非撹拌状態を検知しているとき、上記蓋体の開放を可能とするように上記開放規制部を制御することを特徴とする炊飯器。
【請求項５】
請求項１から３の何れか一つに記載の炊飯器において、
上記撹拌ユニットは、
上記蓋体に回転可能に取り付けられた回転体と、
上記回転体に取り付けられると共に、上記内鍋内の内容物に接触した攪拌状態と、上記内鍋内の内容物から乖離した非攪拌状態とを切替可能な攪拌体と
を有し、
上記非攪拌状態の上記攪拌体の水切り工程の終了を検知する水切り工程終了検知部を有し、
上記開放規制制御部は、上記水切り工程終了検知部が上記非攪拌状態の上記攪拌体の水切り工程の終了を検知しているとき、上記蓋体の開放を可能とするように上記開放規制部を制御することを特徴とする炊飯器。
【発明の詳細な説明】
【技術分野】
【０００１】
この発明は、炊飯器に関する。
【背景技術】
【０００２】
従来、炊飯器としては、特開平１０−１０８７８６号公報（特許文献１）に開示されたものが、提案されている。この炊飯器は、炊飯器本体と、この炊飯器本体に収容された内鍋と、炊飯器本体に取り付けられて内鍋を開閉する蓋体とを備えている。この蓋体には、撹拌ユニットが回転可能に取り付けられ、この撹拌ユニットは、回転して内鍋内に収容される内容物を撹拌する。
【先行技術文献】
【特許文献】
【０００３】
【特許文献１】特開平１０−１０８７８６号公報
【発明の概要】
【発明が解決しようとする課題】
【０００４】
ところで、上記従来の炊飯器では、撹拌ユニットか内容物を撹拌している最中か否かに関わらず、蓋体は、開閉可能であった。このため、撹拌ユニットが内鍋内の内容物を撹拌している最中に、ユーザが誤って蓋体を開ける虞があった。そして、撹拌中に蓋体を開けると、内容物が内鍋から外側に飛び散る問題があった。
【０００５】
そこで、この発明の課題は、撹拌中に誤って蓋体を開けることのない炊飯器を提供することにある。
【課題を解決するための手段】
【０００６】
上記課題を解決するため、この発明の炊飯器は、
炊飯器本体と、
この炊飯器本体に収容される内鍋と、
上記炊飯器本体の上部に取り付けられて上記内鍋を開閉する蓋体と、
上記蓋体に回転可能に取り付けられると共に、回転して上記内鍋内に収容される内容物を撹拌する撹拌ユニットと、
上記蓋体に取り付けられると共に、上記撹拌ユニットを駆動するモータと、
上記蓋体の開放を規制する開放規制部と、
上記撹拌ユニットの回転中、上記蓋体の開放を規制するように上記開放規制部を制御する開放規制制御部と
を備えることを特徴としている。
【０００７】
この発明の炊飯器によれば、上記開放規制制御部は、上記撹拌ユニットの回転中、上記蓋体の開放を規制するように上記開放規制部を制御するので、撹拌ユニットの回転中、蓋体を開けることができない。
【０００８】
これによって、撹拌ユニットが内鍋内の内容物を撹拌している最中に、ユーザが誤って蓋体を開けようとしても、蓋体は開かず、内容物が内鍋から外側に飛び散ることがない。
【０００９】
また、一実施形態の炊飯器では、
上記モータの通電を検知するモータ通電検知部を有し、
上記開放規制制御部は、上記モータ通電検知部が上記モータの通電を検知しているとき、上記蓋体の開放を規制するように上記開放規制部を制御する。
【００１０】
この実施形態の炊飯器によれば、上記開放規制制御部は、上記モータ通電検知部が上記モータの通電を検知しているとき、上記蓋体の開放を規制するので、簡単な構成で、撹拌ユニット回転中の蓋体の開放を規制できる。
【００１１】
また、一実施形態の炊飯器では、
上記撹拌ユニットの回転を検知する撹拌ユニット回転検知部を有し、
上記開放規制制御部は、上記撹拌ユニット回転検知部が上記撹拌ユニットの回転を検知しているとき、上記蓋体の開放を規制するように上記開放規制部を制御する。
【００１２】
この実施形態の炊飯器によれば、上記開放規制制御部は、上記撹拌ユニット回転検知部が上記撹拌ユニットの回転を検知しているとき、上記蓋体の開放を規制するので、簡単な構成で、撹拌ユニット回転中の蓋体の開放を規制できる。
【００１３】
また、一実施形態の炊飯器では、
上記撹拌ユニットは、
上記蓋体に回転可能に取り付けられた回転体と、
上記回転体に取り付けられると共に、上記内鍋内の内容物に接触した攪拌状態と、上記内鍋内の内容物から乖離した非攪拌状態とを切替可能な攪拌体と
を有し、
上記攪拌体の上記非攪拌状態を検知する非撹拌状態検知部を有し、
上記開放規制制御部は、上記非撹拌状態検知部が上記撹拌体の上記非撹拌状態を検知しているとき、上記蓋体の開放を可能とするように上記開放規制部を制御する。
【００１４】
この実施形態の炊飯器によれば、上記開放規制制御部は、上記非撹拌状態検知部が上記撹拌体の上記非撹拌状態を検知しているとき、上記蓋体の開放を可能とするので、撹拌体の非撹拌状態において、蓋体を開けることができる。
【００１５】
また、一実施形態の炊飯器では、
上記撹拌ユニットは、
上記蓋体に回転可能に取り付けられた回転体と、
上記回転体に取り付けられると共に、上記内鍋内の内容物に接触した攪拌状態と、上記内鍋内の内容物から乖離した非攪拌状態とを切替可能な攪拌体と
を有し、
上記非攪拌状態の上記攪拌体の水切り工程の終了を検知する水切り工程終了検知部を有し、
上記開放規制制御部は、上記水切り工程終了検知部が上記非攪拌状態の上記攪拌体の水切り工程の終了を検知しているとき、上記蓋体の開放を可能とするように上記開放規制部を制御する。
【００１６】
ここで、「非攪拌状態の撹拌体の水切り工程」とは、撹拌体によって内容物を撹拌した後に、撹拌体を非撹拌状態とし、撹拌体を回転体とともに回転させることで、撹拌体に付着した内容物を遠心力により取り去る工程をいう。
【００１７】
この実施形態の炊飯器によれば、上記開放規制制御部は、上記水切り工程終了検知部が上記非攪拌状態の上記攪拌体の水切り工程の終了を検知しているとき、上記蓋体の開放を可能とするので、水切り工程の最中に蓋体を開けることがなくて、水が飛び散ることがない一方、水切り工程の終了において蓋体を開けることができる。
【発明の効果】
【００１８】
この発明の炊飯器によれば、上記開放規制制御部は、上記撹拌ユニットの回転中、上記蓋体の開放を規制するように上記開放規制部を制御するので、ユーザが誤って蓋体を開けようとしても、蓋体は開かず、内容物が内鍋から外側に飛び散ることがない。
【図面の簡単な説明】
【００１９】
【図１】本発明の一実施形態の炊飯器の蓋体開放時の概略斜視図である。
【図２】炊飯器の撹拌ユニットの概略下面図である。
【図３】第１，第２攪拌アームの攪拌状態を説明するための概略斜視図である。
【図４】開放規制部の作用を説明する概略図である。
【図５】炊飯器の制御ブロック図である。
【発明を実施するための形態】
【００２０】
以下、この発明を図示の実施の形態により詳細に説明する。
【００２１】
図１は、この発明の一実施形態の炊飯器を示す斜視図である。図１に示すように、この炊飯器は、炊飯器本体１と、この炊飯器本体１に収容される内鍋７と、炊飯器本体１の上部に取り付けられて内鍋７を開閉する蓋体２とを備えている。
【００２２】
上記炊飯器本体１の前面には、蓋体２を開けるための開ボタン３を設けている。炊飯器本体１の上面の前部には被係止部８を設けている。被係止部８には、蓋体２の下面の前部に設けられた係止部２３が解除可能に係止する。
【００２３】
上記炊飯器本体１の前面の内部には、蓋体２の開放を規制（ロック）する開放規制部９を設けている。この開放規制部９が蓋体２の開放を規制していないときには、開ボタン３を押すと、被係止部８が後方に移動して、被係止部８に対する係止部２３の係止は解除される。一方、上記開放規制部９が蓋体２の開放を規制しているときは、開ボタン３を押しても、被係止部８が後方に移動せず、被係止部８に対する係止部２３の係止は解除されない。
【００２４】
上記炊飯器本体１の後面からは、電源コード４の先端部が突き出ている。この電源コード４の大部分は、炊飯器本体１内の（図示しない）コードリールに引き出し可能に巻き付けられていている。
【００２５】
上記炊飯器本体１内には、内鍋７を誘導加熱するための誘導加熱コイル１０を設置している。なお、誘導加熱コイル１０は、加熱部の一例である。
【００２６】
上記内鍋７には、内容物の一例としての米や水などが収容される。内鍋７は、例えばアルミニウムなどの高熱伝導部材で形成され、その外面に加熱効率を向上させる例えばステンレス等の磁性体を貼り付ける一方、内面に内容物の付着を防ぐためのフッ素樹脂をコーティングしている。
【００２７】
上記蓋体２は、蓋体２を閉じたときに内鍋７側とは反対側に位置する外蓋２１と、蓋体２を閉じたときに内鍋７側に位置する内蓋２２とを有している。外蓋２１の後部の右側角部内には、モータ２４を取り付けている。外蓋２１の中央部内には、回転可能に（図示しない）連結軸を設置している。この連結軸は、モータ２４が発生した回転駆動力を（図示しない）プーリやベルトを介して受けて、回転する。
【００２８】
上記蓋体２には、撹拌ユニット５０が回転可能に取り付けられている。この撹拌ユニット５０は、モータ２４の駆動力により回転して、内鍋７内に収容される内容物を撹拌する。
【００２９】
上記撹拌ユニット５０は、蓋体２に回転可能に取り付けられた回転体１１と、この回転体１１に取り付けられた第１，第２攪拌アーム１２Ａ，１２Ｂとを有する。なお、第１，第２攪拌アーム１２Ａ，１２Ｂは、攪拌体の一例である。
【００３０】
上記回転体１１は、蓋体２の内鍋２２に着脱可能に取り付けられている。回転体１１の蓋体２側の部分からは、（図４参照の）回転軸１５の一方の端部が突出している。この回転軸１５は、外蓋２１の上記連結軸に着脱可能に連結されて、上記連結軸と一体に回転する。回転軸１５は、回転体１１に対して回転可能となっている。
【００３１】
上記第１，第２攪拌アーム１２Ａ，１２Ｂは、それぞれ、径方向において回転体１１と隣り合って、内鍋７内の米などに接触した攪拌状態と、内鍋７内の米などから乖離した非攪拌状態とを切替可能になっている。すなわち、第１，第２攪拌アーム１２Ａ，１２Ｂのそれぞれは、一方の端部が回転体１１に回動可能に取り付けられて、他方の端部が、回転体１１から離れたり、回転体１１に近づいたりすることが可能になっている。
【００３２】
図２は、上記撹拌ユニット５０を内鍋７側から見た概略図である。図２に示すように、回転体１１は、蓋体側部材１３と、この蓋体側部材１３の内鍋７側の表面に着脱可能に取り付けられた内鍋側部材１４とを有している。
【００３３】
上記蓋体側部材１３と上記内鍋側部材１４の間には、第１，第２攪拌アーム兼用傘ギア３０と、第１攪拌アーム用ギア３１Ａ，３２Ａ，３３Ａと、第２攪拌アーム用ギア３１Ｂ，３２Ｂ，３３Ｂとを、配置している。
【００３４】
上記回転軸１５の回転駆動は、第１，第２攪拌アーム兼用傘ギア３０および第１攪拌アーム用ギア３１Ａ，３２Ａ，３３Ａを介して第１攪拌アーム用回動軸３４Ａに伝わると共に、第１，第２攪拌アーム兼用傘ギア３０および第２攪拌アーム用ギア３１Ｂ，３２Ｂ，３３Ｂを介して第２攪拌アーム用回動軸３４Ｂに伝わる。
【００３５】
これにより、上記回転軸１５が回転すれば、第１，第２攪拌アーム１２Ａ，１２Ｂを第１，第２攪拌アーム用回動軸３４Ａ，３４Ｂを中心に回動させて、図１，図２に示す非攪拌状態から図３に示す攪拌状態に切り替えたり、上記攪拌状態から上記非攪拌状態に切り替えたりすることが可能になっている。なお、図３では、第１，第２攪拌アーム１２Ａ，１２Ｂを視認できるように、炊飯器本体１および蓋体２の図示を省略している。
【００３６】
図４は、上記開放規制部９の作用を説明する概略図である。図４に示すように、開放規制部９は、アクチュエータ９０と、このアクチュエータ９０のロッド９１に取り付けられた規制板９２とを有する。アクチュエータ９０は、ソレノイドなどの電磁力や、空気圧や油圧などにより、ロッド９１を往復動させる。
【００３７】
そして、上記アクチュエータ９０は、図中実線に示すように、ロッド９１を短縮させることで、規制板９２を開ボタン３の後方から退避させる。これにより、開ボタン３を後方へ押すことができ、蓋体２を開放できる。
【００３８】
一方、上記アクチュエータ９０は、図中仮想線に示すように、ロッド９１を伸長させることで、規制板９２を開ボタン３の後方に侵入させる。これにより、開ボタン３を後方へ押すことができず、蓋体２の開放を規制できる。
【００３９】
図５は、上記炊飯器の制御ブロック図である。図５に示すように、上記炊飯器は、開放規制制御部６１を有する。この開放規制制御部６１は、マイクロコンピュータと入出力回路などからなる。開放規制制御部６１は、撹拌ユニット５０の回転中、蓋体２の開放を規制するように開放規制部９を制御する。
【００４０】
具体的に述べると、上記炊飯器は、モータ２４の通電を検知するモータ通電検知部６２を有する。このモータ通電検知部６２は、例えば、電流検知センサである。そして、開放規制制御部６１は、モータ通電検知部６２がモータ２４の通電を検知しているとき、蓋体２の開放を規制するように開放規制部９を制御する。これにより、簡単な構成で、撹拌ユニット５０の回転中の蓋体２の開放を規制できる。
【００４１】
したがって、上記開放規制制御部６１は、撹拌ユニット５０の回転中、蓋体２の開放を規制するように開放規制部９を制御するので、撹拌ユニット５０の回転中、蓋体２を開けることができない。これによって、撹拌ユニット５０が内鍋７内の内容物を撹拌している最中に、ユーザが誤って蓋体２を開けようとしても、蓋体２は開かず、内容物が内鍋７から外側に飛び散ることがない。
【００４２】
ここで、上記モータ通電検知部６２に代えて、または、上記モータ通電検知部６２と共に、撹拌ユニット回転検知部６３、非撹拌状態検知部６４または水切り工程終了検知部６５の何れか少なくとも一つを、用いてもよい。
【００４３】
上記撹拌ユニット回転検知部６３は、撹拌ユニット５０の回転を検知する。撹拌ユニット回転検知部６３は、例えば、回転センサである。
【００４４】
そして、上記開放規制制御部６１は、撹拌ユニット回転検知部６３が撹拌ユニット５０の回転を検知しているとき、蓋体２の開放を規制するように開放規制部９を制御する。これにより、簡単な構成で、撹拌ユニット５０の回転中の蓋体２の開放を規制できる。
【００４５】
上記非撹拌状態検知部６４は、第１，第２攪拌アーム１２Ａ，１２Ｂの非攪拌状態を検知する。非撹拌状態検知部６４は、例えば、第１，第２攪拌アーム１２Ａ，１２Ｂの位置を検知する位置センサである。
【００４６】
そして、上記開放規制制御部６１は、非撹拌状態検知部６４が第１，第２攪拌アーム１２Ａ，１２Ｂの非撹拌状態を検知しているとき、蓋体２の開放を可能とするように開放規制部９を制御する。これにより、撹拌ユニット５０の非撹拌状態において、蓋体２を開けることができる。
【００４７】
上記水切り工程終了検知部６５は、非攪拌状態の第１，第２攪拌アーム１２Ａ，１２Ｂの水切り工程の終了を検知する。「非攪拌状態の第１，第２攪拌アーム１２Ａ，１２Ｂの水切り工程」とは、第１，第２攪拌アーム１２Ａ，１２Ｂによって内容物を撹拌した後に、第１，第２攪拌アーム１２Ａ，１２Ｂを非撹拌状態とし、第１，第２攪拌アーム１２Ａ，１２Ｂを回転体とともに回転させることで、第１，第２攪拌アーム１２Ａ，１２Ｂに付着した内容物を遠心力により取り去る工程をいう。水切り工程終了検知部６５は、例えば、シーケンス制御部である。
【００４８】
そして、上記開放規制制御部６１は、水切り工程終了検知部６５が非攪拌状態の第１，第２攪拌アーム１２Ａ，１２Ｂの水切り工程の終了を検知しているとき、蓋体２の開放を可能とするように開放規制部９を制御する。これにより、水切り工程の最中に蓋体２を開けることがなくて、水が飛び散ることがない一方、水切り工程の終了において蓋体２を開けることができる。
【００４９】
なお、上記開放規制制御部６１は、第１，第２攪拌アーム１２Ａ，１２Ｂが撹拌状態にあるときに、蓋体２の開放が指示された場合に、第１，第２攪拌アーム１２Ａ，１２Ｂを非撹拌状態に切り替えてから、蓋体２を開放可能とするように開放規制部９を制御するようにしてもよい。これにより、ユーザの要求に応じて、蓋体２を開けることができる。蓋体２の開放を指示するには、ユーザが開ボタン３を押すことで、開放規制制御部６１が電気的に「開放の指示」を検知し、または、蓋体２の開放規制を解除するためのボタンを別途設けて、ユーザがこのボタン３を押すことで、開放規制制御部６１が電気的に「開放の指示」を検知する。
【００５０】
なお、この発明は上述の実施形態に限定されない。例えば、モータ通電検知部６２、撹拌ユニット回転検知部６３、非撹拌状態検知部６４または水切り工程終了検知部６５の何れか少なくとも一つを、用いるようにしてもよい
また、上記実施形態では、撹拌体として、２つの第１，第２攪拌アーム１２Ａ，１２Ｂを用いていたが、１つの撹拌アームを用いてもよい。また、上記実施形態では、撹拌アームを、攪拌状態と非攪拌状態の切替可能としたが、攪拌状態のみとしてもよい。
【００５１】
また、上記実施形態では、誘導加熱コイル１０を加熱部の一例として用いていたが、ヒータを加熱部の一例として用いていてもよい。
【符号の説明】
【００５２】
１  炊飯器本体
２  蓋体
７  内鍋
９  開放規制部
１１  回転体
１２Ａ  第１攪拌アーム（撹拌体）
１２Ｂ  第２攪拌アーム（撹拌体）
２４  モータ
５０  撹拌ユニット
６１  開放規制制御部
６２  モータ通電検知部
６３  撹拌ユニット回転検知部
６４  非撹拌状態検知部
６５  水切り工程終了検知部
【図１】
2015091278.tif 000003
【図２】
2015091278.tif 000004
【図３】
2015091278.tif 000005
【図４】
2015091278.tif 000006
【図５】
2015091278.tif 000007